(57)【要約】  梱包材料のバンドルは、コンパクトな構成に折りたたまれた梱包材料の少なくとも２本のストリップを含む。梱包材料のストリップは、第１及び第２の端部並びに第１の端部と第２の端部との間の中央部分を備えた長さ寸法を有する梱包材料の頂部ストリップと、第１及び第２の端部並びに第１の端部と第２の端部との間の中央部分を備えた長さ寸法を有する梱包材料の底部ストリップと、を備える。頂部ストリップの中央部分は、底部ストリップの中央部分の上に重なり、頂部ストリップの長さ寸法は、底部ストリップの長さ寸法に直交する向きである。頂部ストリップの第１及び第２の端部は、その中央部分に折り重なり、底部ストリップの第１及び第２の端部は、その中央部分に折り重なる。
2021522120.tif 000002
【特許請求の範囲】
【請求項１】
梱包材料のバンドルであって、
コンパクトなバンドルへと折りたたまれる梱包材料のストリップを少なくとも２つ備え、
前記ストリップは、
第１及び第２の端部並びに前記第１の端部と前記第２の端部との間の中央部分を備えた長さ寸法を有する梱包材料の頂部ストリップと、
第１及び第２の端部並びに前記第１の端部と前記第２の端部との間の中央部分を備えた長さ寸法を有する梱包材料の底部ストリップと、
を備え、
前記頂部ストリップの前記中央部分は、前記底部ストリップの前記中央部分の上に重なり、前記頂部ストリップの前記長さ寸法は、前記底部ストリップの前記長さ寸法に直交する向きであり、
前記頂部ストリップの前記第１及び第２の端部は、前記頂部ストリップの前記中央部分に折り重なり、そして、前記底部ストリップの前記第１及び第２の端部は、前記底部ストリップの前記中央部分に折り重なる、梱包材料のバンドル。
【請求項２】
請求項１に記載のバンドルであって、前記頂部ストリップの前記中央部分が、上部側及び前記上部側の反対にある底部側を有し、そして、前記頂部ストリップの前記第１及び第２の端部が、前記頂部ストリップの前記上部側に折り重ねられ、前記底部ストリップの前記第１及び第２の端部が、前記頂部ストリップの前記中央部分の上部側に折り重ねられる、バンドル。
【請求項３】
請求項１又は請求項２に記載のバンドルであって、前記頂部ストリップの前記第１の端部及び前記第２の端部のうち１つが、前記底部ストリップの前記第１の端部及び前記第２の端部のうちの１つの上に折り重ねられる、バンドル。
【請求項４】
請求項１、又は、請求項１から３のいずれかに記載のバンドルであって、前記頂部ストリップ及び前記底部ストリップの前記第１の端部及び前記第２の端部が、交互に配置されている、バンドル。
【請求項５】
請求項１、又は、請求項１から４のいずれかに記載のバンドルであって、前記束化された構成において、梱包材料の前記ストリップを一時的に固定するための拘束部材をさらに備える、バンドル。
【請求項６】
請求項５に記載のバンドルであって、前記拘束部材はストラップである、バンドル。
【請求項７】
請求項１、又は、請求項１から６のいずれかに記載のバンドルであって、梱包材料の前記ストリップが、少なくとも部分的に紙で出来ている、バンドル。
【請求項８】
請求項１、又は、請求項１から７のいずれかに記載のバンドルであって、梱包材料の前記ストリップが、無作為にしわになった紙を含む、バンドル。
【請求項９】
請求項１、又は、請求項１から８のいずれかに記載のバンドルであって、梱包材料の前記ストリップが、（ａ）コンテナのそれぞれの側壁の幅に対する、梱包材料の前記ストリップの幅寸法、（ｂ）梱包材料の前記ストリップの絶縁性、（ｃ）前記梱包材料の緩衝性、のうち１つ以上の要素に基づき選択される、バンドル。
【請求項１０】
梱包材料の２つのストリップから梱包材料のバンドルを作成する方法であって、
第１及び第２の端部並びに前記第１の端部と前記第２の端部との間の中央部分を備えた長さ寸法を有する梱包材料の頂部ストリップと、第１及び第２の端部並びに前記第１の端部と前記第２の端部との間の中央部分を備えた長さ寸法を有する梱包材料の底部ストリップと、を備える、梱包材料の２つのストリップを準備する手順と、
前記頂部ストリップの前記長さ寸法が前記底部ストリップの前記長さ寸法に直交するように、前記頂部ストリップの前記中央部分を前記底部ストリップの前記中央部分の上に配置する手順と、
前記頂部ストリップの前記第１の端部及び前記第２の端部を、前記頂部ストリップの前記中央部分の上に折り重ねる手順と、
前記底部ストリップの前記第１の端部及び前記第２の端部を、前記底部ストリップの前記中央部分の上に折り重ねる手順と、
を含む、梱包材料のバンドルを作成する方法。
【請求項１１】
請求項１０に記載の方法であって、束化された構成において、梱包材料の前記ストリップを一時的に固定するための拘束部材をあてがう手順を、折り重ねの手順の後にさらに含む、方法。
【請求項１２】
請求項１０又は請求項１１に記載の方法であって、前記折り重ねの手順は、前記頂部ストリップ及び前記底部ストリップの前記第１の端部及び前記第２の端部を交互に配置することをさらに含む、方法。
【請求項１３】
請求項１０、又は、請求項１１又は１２のいずれかに記載の方法であって、前記準備する手順は、少なくとも部分的に紙で出来た梱包材料のストリップを選択することを含む、方法。
【請求項１４】
請求項１０、又は、請求項１１から１３のいずれかに記載の方法であって、前記準備する手順は、無作為にしわになった紙を含む梱包材料のストリップを選択することを含む、方法。
【請求項１５】
請求項１０、又は、請求項１１から１４のいずれかに記載の方法であって、前記準備する手順は、（ａ）コンテナのそれぞれの側壁の幅に対する、梱包材料の前記ストリップの幅寸法、（ｂ）梱包材料の前記ストリップの絶縁性、（ｃ）前記梱包材料の緩衝性、のうちの１つ以上の要素に基づいた梱包材料のストリップを選択することを含む、方法。
【請求項１６】
請求項１又は請求項１から９のいずれかに記載の梱包材料のバンドルを使用する方法であって、
上部側が開いていて、前記上部側の反対にある底部側が閉じている、長方形の包装容器を準備する手順と、
前記底部ストリップの前記中央区画の底部側を前記包装容器の前記底部側の内面に向けた状態で、梱包材料の前記バンドルを前記包装容器に配置する手順と、
前記頂部ストリップ及び前記底部ストリップの前記第１の端部及び前記第２の端部を、前記包装容器のそれぞれの側壁に向けて展開する手順と、
を含む方法。
【請求項１７】
請求項１６に記載の方法であって、前記バンドルを一時的な拘束部材から解く手順をさらに含む、方法。
【請求項１８】
請求項１６又は請求項１７に記載の方法であって、梱包される物品を前記頂部ストリップの前記中央区画の上部側に配置し、前記頂部ストリップ及び前記底部ストリップの第１の端部及び第２の端部のそれぞれを物品の上に折り重ね、そして、包装容器の開いた上部側を閉じる手順をさらに含む、方法。
（ｄ）第２のダンネージ製品の一部を、前記第１のダンネージ製品と前記第２のダンネージ製品との交差点の上に折り重ねること。
【請求項１９】
ダンネージの絶縁ストリップであって、
１枚以上のしわになった内部シートと、
前記内部シートを包み込み、その縁でシールされる１枚以上のカバーシートと、
を備える、絶縁ストリップ。
【請求項２０】
請求項１９に記載の絶縁ストリップであって、少なくとも１枚の前記内部シートは、無作為にしわになっており、前記カバーシートは、前記しわになった内部シートを超えて全ての方向に延びている、絶縁ストリップ。
【発明の詳細な説明】
【発明の詳細な説明】
【０００１】
［技術分野］
本発明は、梱包製品、より具体的には輸送用コンテナを裏張りするためのダンネージ製品と、梱包製品の作製に対応する方法と、梱包製品を使用する方法と、に関する。
［背景技術］
ダンネージ変換機は、素材を、輸送用コンテナ内の物品を梱包するのに使用でき、それ故に輸送中の損傷を最小限に抑えたり、防いだりすることができるダンネージ製品に変換する。ダンネージ変換機器とも称されるダンネージ変換機は、一般的には、変換アセンブリを有し、上流端にある入口から下流端にある出口に向かって変換アセンブリの中を素材が移動する際に、素材を比較的低密度のダンネージ製品に変換する。
【０００２】
既に使用されている例示的なダンネージ変換機は、クラフト紙などのシート素材を、輸送される物品を保護するためにその後にコンテナに配置することができるダンネージ製品に変換する。そのようなダンネージ変換機は、通常、略連続長のシート素材を一切れのダンネージに変換し、そのダンネージから、梱包業者による所望の構成でのコンテナ内における配置のため、別個の長さのダンネージ製品へと切り離される。
［発明の概要］
本発明は、オンデマンドで生産可能なダンネージ製品のバンドルを生産する方法と、バンドルから引き出されたダンネージ製品によって保護されたコンテナ内で、輸送用の物品を梱包する際に、束化されたダンネージ製品を使用する方法と、を提供する。当該方法は、ダンネージ製品のバンドルをコンテナ内に配置すること、そして、コンテナに裏張りするためバンドルを開けることを含んでもよい。本発明は、とりわけ絶縁ダンネージ製品との使用に便利となり得る。既存の、オンデマンドでのシートベースの絶縁用ライナーの組立方法では、機械の稼働時間とスピードのために、エンドユーザが利用可能なスループットに限度がある。このスループットを改善し、絶縁輸送用コンテナの組み立てを容易にすること、そして、即時使用可能なシートベースの絶縁用ライナーを簡単に保管する方法を提供することを目的として、本発明は、絶縁用ライナーとして使用可能な絶縁用ダンネージ製品を束ねるための改良された方法を提供する。
【０００３】
現在入手可能な絶縁材はかさばり高価な傾向にあり、完全に再生可能ではない一方、本発明は、また、費用対効果が高く、局所的な輸送のためのカーブサイド・リサイクル（ＣＵＲＢＳＩＤＥ−ＲＥＣＹＣＬＩＮＧ）可能な絶縁の裏張りを提供する。裏張りは、コンテナに挿入可能であるが、使用できる状態になるまでコンパクトに保管されるキットの一部として提供され得る。梱包場所でのキットの組立手順を省くべく、絶縁の裏張りは、コンテナの壁に完成品として組み込まれることも可能である。
【０００４】
より具体的には、本発明は、コンパクトなバンドルへと折りたたまれる梱包材料のストリップを少なくとも２つ備える、梱包材料のバンドルを提供する。梱包材料のストリップは、第１及び第２の端部並びに第１の端部と第２の端部との間の中央部分を備えた長さ寸法を有する梱包材料の頂部ストリップと、第１及び第２の端部並びに第１の端部と第２の端部との間の中央部分を備えた長さ寸法を有する梱包材料の底部ストリップと、を備える。頂部ストリップの中央部分は、底部ストリップの中央部分の上に重なり、頂部ストリップの長さ寸法は、底部ストリップの長さ寸法に直交する向きである。頂部ストリップの第１及び第２の端部は、頂部ストリップの中央部分の上に折り重ねられ、底部ストリップの第１及び第２の端部は、底部ストリップの中央部分の上に折り重ねられる。
【０００５】
当該バンドルは、次の特徴のうち、１つ以上をさらに備えてもよい。（ａ）頂部ストリップの中央部分が、上部側及び当該上部側の反対にある底部側を有し、そして、頂部ストリップの第１及び第２の端部が、頂部ストリップの上部側の上に折り重ねられ、底部ストリップの第１及び第２の端部が、頂部ストリップの中央部分の上部側の上に折り重ねられること、（ｂ）頂部ストリップの第１の端部及び第２の端部のうちの１つが、底部ストリップの第１の端部及び第２の端部のうちの１つの上に折り重ねられること、（ｃ）頂部ストリップ及び底部ストリップの第１の端部及び第２の端部が、交互に配置されていること、（ｄ）梱包材料のストリップが、少なくとも部分的に紙で出来ており、無作為にしわになった紙を含み得ること。
【０００６】
当該バンドルは、束化された構成において、梱包材料のストリップを一時的に固定するための拘束部材をさらに備えてもよい。拘束部材は、ストラップであってもよい。
梱包材料のストリップは、次のうち１つ以上の要素に基づき選択されてもよい。（ａ）コンテナのそれぞれの側壁の幅に対する、梱包材料のストリップの幅寸法、（ｂ）梱包材料のストリップの絶縁性、（ｃ）梱包材料の緩衝性。
【０００７】
本発明は、また、梱包材料の２つのストリップから梱包材料のバンドルを作製する方法を提供する。当該方法は、次の手順を含む。（ａ）第１及び第２の端部並びに第１の端部と第２の端部との間の中央部分を備えた長さ寸法を有する梱包材料の頂部ストリップと、第１及び第２の端部並びに第１の端部と第２の端部との間の中央部分を備えた長さ寸法を有する梱包材料の底部ストリップと、を備える、梱包材料の２つのストリップを準備すること、（ｂ）頂部ストリップの長さ寸法が底部ストリップの長さ寸法に直交するように、頂部ストリップの中央部分を底部ストリップの中央部分の上に配置すること、（ｃ）頂部ストリップの第１の端部及び第２の端部を、頂部ストリップの中央部分の上に折り重ねること、（ｄ）底部ストリップの第１の端部及び第２の端部を、底部ストリップの中央部分の上に折り重ねること。
【０００８】
当該方法は、（ｅ）束化された構成において、梱包材料のストリップを一時的に固定するための拘束部材をあてがう手順を、折り重ねの手順の後にさらに含んでもよい。
【０００９】
折り重ねの手順は、頂部ストリップ及び底部ストリップの第１の端部と第２の端部とを交互に配置することを含んでもよい。
準備する手順は、少なくとも部分的に紙で出来た梱包材料のストリップを選択することを含んでもよい。
【００１０】
準備する手順は、無作為にしわになった紙を含む梱包材料のストリップを選択することを含んでもよい。
準備する手順は、次のうち１つ以上の要素に基づいた梱包材料のストリップを選択することを含んでもよい。（ａ）コンテナのそれぞれの側壁の幅に対する、梱包材料のストリップの幅寸法、（ｂ）梱包材料のストリップの絶縁性、（ｃ）梱包材料の緩衝性。
【００１１】
本発明は、また、上述したとおりの梱包材料のバンドルを使用する方法を提供する。当該方法は、（ａ）上部側が開いていて、当該上部側の反対にある底部側が閉じている、長方形の包装容器を準備すること、（ｂ）底部ストリップの中央区画の底部側を包装容器の底部側の内面に向けた状態で、梱包材料のバンドルを包装容器に配置すること、（ｃ）頂部ストリップ及び底部ストリップの第１の端部及び第２の端部を、包装容器のそれぞれの側壁に向けて展開すること、の手順を含む。
【００１２】
当該方法は、当該バンドルを一時的な拘束部材から解く手順をさらに含んでもよい。
当該方法は、梱包される物品を頂部ストリップの中央区画の上部側に配置し、頂部ストリップ及び底部ストリップの第１の端部及び第２の端部のそれぞれを物品の上に折り重ね、そして、包装容器の開いている上部側を閉じる手順を含んでもよい。
【００１３】
本発明における上述の及びその他の特徴は、以下で十分に説明され、特に請求項において指摘され、以下の説明及び添付の図面は、本発明の特定の例示的な実施形態を詳細に示しているが、これらの実施形態は、本発明の原理を使用することができる様々な方法のほんの一部を示す。
【図面の簡単な説明】
【００１４】
【図１】例示的なダンネージ変換機の概略を示す図である。
【図２】図１のダンネージ変換機により製造されるダンネージ製品の概略図である。
【図３】本発明により提供される例示的なダンネージのストリップの概略的な断面である。
【図４】本発明により提供される例示的なダンネージのストリップの概略的な断面である。
【図５】本発明により提供される例示的なダンネージのストリップの概略的な断面である。
【図６】本発明により提供される例示的なダンネージのストリップの概略的な断面である。
【図７】当該発明により提供される例示的なダンネージのストリップの概略的な斜視図である。
【図８】当該発明により提供される、別の例示的なダンネージのストリップの概略的な斜視図である。
【図９】線９−９に沿って見たときの図８のダンネージのストリップの断面図である。
【図１０】開いている輸送用コンテナの上に配置されたダンネージの２つのストリップの概略図である。
【図１１】「Ｔ字」構成で一対のパッドを順次折りたたむ作業の図である。
【図１２】「十字」構成で一対のパッドを順次折りたたむ作業の図である。
【図１３】束化されたダンネージ製品を構成するため、「十字」構成で一対のパッドを折りたたむ作業の一連の手順を示す。
【図１４】束化されたダンネージ製品を構成するため、「十字」構成で一対のパッドを折りたたむ作業の一連の手順を示す。
【図１５】束化されたダンネージ製品を構成するため、「十字」構成で一対のパッドを折りたたむ作業の一連の手順を示す。
【図１６】束化されたダンネージ製品を構成するため、「十字」構成で一対のパッドを折りたたむ作業の一連の手順を示す。
【図１７】束化されたダンネージ製品を構成するため、「十字」構成で一対のパッドを折りたたむ作業の一連の手順を示す。
【図１８】束化されたダンネージ製品を構成するため、「十字」構成で一対のパッドを折りたたむ作業の一連の手順を示す。
【図１９】束化されたダンネージ製品を構成するため、「十字」構成で一対のパッドを折りたたむ作業の一連の手順を示す。
【図２０】輸送用コンテナ内に梱包する１つ以上の物品の受け入れのための輸送用コンテナを準備するべく、束化されたダンネージ製品を使用する一連の手順を示す。
【図２１】輸送用コンテナ内に梱包する１つ以上の物品の受け入れのための輸送用コンテナを準備するべく、束化されたダンネージ製品を使用する一連の手順を示す。
【図２２】輸送用コンテナ内に梱包する１つ以上の物品の受け入れのための輸送用コンテナを準備するべく、束化されたダンネージ製品を使用する一連の手順を示す。
【図２３】輸送用コンテナ内に梱包する１つ以上の物品の受け入れのための輸送用コンテナを準備するため、束化されたダンネージ製品を使用する一連の手順を示す。
【発明を実施するための形態】
【００１５】
本発明は、束化されたダンネージ製品を作製する方法、束化されたダンネージ製品を作製する方法、及び、輸送される１つ以上の物品をコンテナ内に受け入れるための輸送用コンテナを準備するために、束化されたダンネージ製品を使用する方法を提供する。バンドルとも称され得る束化されたダンネージ製品により、輸送用コンテナに緩衝性又は断熱性を持たせるなどのための、複数のダンネージ製品を同時にコンテナ内に配置することが容易になる。束化されたダンネージ製品は、輸送される物品をコンテナが受け入れる準備ができ次第、コンテナを裏張りするために直ちに展開できるようになっている。当該バンドルは、輸送用コンテナ用のライナー又は裏張りとも称され得る。束化されたダンネージ製品を展開することで、所望の緩衝性、熱的性質、その他のダンネージ特性を持たせるために、ダンネージ製品がコンテナの内側面に沿って配置される。
【００１６】
本発明における使用に適した例示的なダンネージのストリップは、シート素材を、該素材より比較的厚みがあり、低密度なダンネージ製品へと変換するダンネージ変換機によって製造されてもよい。本発明における使用に適した、シート素材をダンネージのストリップへと変換する例示的な機械は、ここで参考として引用する国際特許出願公開番号ＷＯ２００９／０４２６６４に開示されている。この例示的なダンネージ変換機は、包み込み可能なダンネージ製品を製造するが、本発明はそういったダンネージ製品や図示されるダンネージ変換機に限定されない。
【００１７】
図１を参照すると、ダンネージ変換機は、シート素材の供給源２０２から１つ以上のシート素材の層Ｐ１及びＰ２を引き出す供給アセンブリ２０４と、シート材が複数重なり合った層を一緒につなげて、ダンネージのストリップ２０７を構成する、供給アセンブリ２０４より下流の接続アセンブリ２０６と、の両方をさらに備える変換アセンブリ２００を備える。
【００１８】
適したシート素材とは、例えば、ロール状やジャバラ式に積み重なった状態で供給される紙又はプラスチックのシート、若しくはそれらの組み合わせを含む。当該変換機で使用される例示的なシート素材は、ロール形状で、及び、ジャバラ式に積み重なった状態でつながった一連の長方形の複数ページとして、のいずれかで提供される、単一層又は多層いずれかのクラフト紙を含む。シート素材として、紙は、一般的にはリサイクル可能かつ再使用可能であり、再生可能資源で構成されている故、環境に配慮した選択である。シート素材の供給源は、ダンネージ製品へと変換される層状又はひと巻きのシート素材を提供するための、複数のロール又は積み重ねを含んでもよく、それに続くロール又は積み重ねは、ダンネージ変換機へ連続長のシート素材を提供すべく、先行するロール又は積み重ねの終端に継ぎ合わせられてもよい。
【００１９】
接続アセンブリ２０６は、層Ｐ１及びＰ２が、供給アセンブリ２０４から、接続アセンブリ２０６へと供給されて通るときの速度より遅い速度で、層Ｐ１及びＰ２又は素材のシートを通過させ、それにより接続アセンブリ２０６は供給アセンブリ２０４と協力して、供給アセンブリ２０４と接続アセンブリ２０６との間で長手方向に延びる狭い空間において、素材を長手方向に無作為にしわにするか、折りたたむ。接続アセンブリ２０６は、しわになったシートを他のシートに接続させることで、連続したダンネージのストリップ２０７において、しわになったシートをしわ状態のまま保持する。変換機は、また、ストリップ２０７から別個の長さのダンネージ製品２０９を切断するために、接続アセンブリ２０６の下流の切断アセンブリ２０８を備えてもよい。
【００２０】
そのため、少なくとも１つのダンネージ製品２０９の層は、無作為にしわになったひと巻きの紙又はシートを含む。少なくとも１枚のシートを、無作為にしわにすることにより、ダンネージ製品２０９に緩衝性を持たせる。しわになった１枚のシート又は複数のシートは、例えば、少なくとも１枚の他のシートと機械的相互接続する線から構成され得る接続バンドに沿って、しわになった状態で保たれる。複数の重なったシート又は層をつなぐ接続線は、便利な折り曲げ線を提供することにもなる。
【００２１】
図２に示される例示的なダンネージ製品１００は、少なくとも１つの、望ましくは横方向に間隔が取られた複数の、長手方向に延びる接続バンド１０２を備え、シート素材はそこでエンボス加工、又はピアッシング、又はパンチング加工を施されるか、あるいは機械的に相互接続され、素材の複数の層１０４及び１０６をまとめる。素材は、一般的には、これらの接続バンド１０２内で圧縮されるため、しわになった層１０４は、接続バンド１０２の外の緩衝領域１１０に、比較的高い嵩高性を持たせる。しわのない層１０６を有するラッピング製品において、当該しわのない層は、しわになった層のキャリアとして機能する。しわのない層１０６と１つ以上のしわになった層１０４に、同じ幅の素材が使用される場合、一般的には、しわにする工程で、しわになった１つの層又は複数の層１０４の幅は小さくなり、しわのないキャリア層１０６が、しわになった１つの層又は複数の層１０４の横方向外縁を超えて横方向に延びる。これら横方向外側部分は、また、ダンネージ製品の縦方向でのさらなる強化のため、より一貫性のある仕上がりの縁を提供するため、及び／又は、素材の複数の層どうしの接続の品質を向上させるために接続される前に又は後で、接続バンド１０２の内側へと折り重ねられてもよい。加えて、１つより多いしわのない層１０６が所望される場合、追加のしわのない１枚のシート又は複数のシートが、しわになった１枚のシート又は複数のシートの同じ側か反対側の接続アセンブリ２０６（図１）に供給されてもよい。
【００２２】
しわになった１つの層又は複数の層１０４、及び、しわのない１つの層又は複数の層１０６をしわになった１つの層又は複数の層１０４にくっつけている、横方向に間隔が取られた接続バンド１０２を無作為にしわにすることで、高品質なダンネージ製品を提供する。しわになった起伏の実際のばらつきは予測不可能であるが、起伏の大きさや数は一般的には統計によりおおよそ予測可能であり、供給アセンブリ２０４と接続アセンブリ２０６の差速、並びに、層Ｐ１及びＰ２が移動する空間のサイズの結果である。
【００２３】
しわになったシートの数量、使用する素材の重量を変更すること、又は、しわになった若しくはしわのないキャリアシートのいずれかを使用することで、ラッピング製品の緩衝性又はその他の性質を変化させられる。また、供給アセンブリ２０４及び接続アセンブリ２０６を通る素材の供給量の割合を変化させることで、緩衝性を制御することもできる。
【００２４】
上述したような変換機で生産されたダンネージ製品１００は、上述したとおり、巻き付けダンネージ製品としての使用に特に適している一方、ダンネージ製品１００、その代替品も、望ましい緩衝性と断熱性を提供してよい。ダンネージ変換機の使用により、必要時又は望ましい時に、オンデマンドでのダンネージ製品の生産を可能にする。そういったダンネージ製品又はその他のダンネージ製品のストリップ又は長さを、本発明に従って、以下のようにして利用してもよい。
【００２５】
ストリップダンネージ製品とも称され、時にパッドと称される、梱包材料のストリップは、様々な長さであってもよく、また、絶縁性や緩衝性、もしくはそういった特性の組み合わせを有してもよい。パッドは、通常、幅寸法を上回る長さ寸法を有し、幅寸法と長さ寸法の両方は、通常、厚み寸法を上回る。パッドの中心は、第１及び第２の端部の、又は長さ寸法の両端にあるパッドのそれぞれの端部の中間にある。パッドの中央部分は、長手方向の対向する端部どうしの間に存在し、中心を含む。パッドの長さはさまざまであるが、通常、輸送用コンテナの対応する寸法を横切って延びるのに十分な長さである。当該パッドは、コンテナの１つ以上の直立した側壁及び底壁の内面を含む、コンテナの複数の内面を横切って延びるのに十分な長さを有してもよい。コンテナの内側面の幅寸法がパッドの幅寸法を上回る場合、共通の方向に延びる複数の隣接するパッドが提供されてもよい。
【００２６】
上述の、そして図１及び図２に示されるパッドの代替として、絶縁用ライニング３００として使用される目的のパッドは、外周縁にてシールされた２枚の紙３０４と３０６との間に挟まれた紙である、無作為にしわになった１枚以上のシート３０２（図３又は図４）、又は、共通若しくは反対方向に延びるカバーシート３０８の縁で、無作為にしわになったシート３０２を内部に包み込む１枚のカバーシート３０８（図５又は図６）を含んでもよい。反対方向に延びる縁どうしは、接するか重なり合ってもよく、また、カバーシート３０８を所定の位置に固定するためのテープ又は他の手段を利用してもよい。絶縁性の向上や絶縁用ライニング３００の増厚のため、内部のしわになったシート３０２のうちの多くの層を利用してもよい。
【００２７】
図１及び図２に示されるパッドと同様に、絶縁用ライニング３００は、また、後で所望の長さに切断される、連続したストリップとして製造されてもよい。図７に示される通り、輸送用コンテナの内寸に合致するように絶縁用ライニングの折り曲げを容易に行えるよう、折り曲げ線３１０又は折り目を長手に沿った所定の距離で、絶縁用ライニングに形成してもよい。図８及び図９に示される通り、ストリップの端部３１２は、内部のしわになったシート３０２の長さを超えて延びてもよく、当該端部をシールするため、そして、熱的性能の向上のため、折り重ねられてもよい。当該ストリップ、代替のストリップも、ストリップの長手又は幅に沿った中間部分でシールされてもよい。
【００２８】
本発明は、２つ以上のストリップが束化された構成を形成又は使用して、輸送のためにストリップが物品を受け入れ、保護する準備ができている望ましい向きにて展開の準備がなされた状態で、複数のストリップを一度にコンテナに挿入することを容易にする。この束化された構成は、キットとも称されてもよい。
【００２９】
ここで、図１０を参照すると、典型的な長方形の輸送用コンテナ２０は、第１の位置に配置される第１のパッド２２であって、輸送用コンテナ２０内の底面を横切りその輸送用コンテナ２０の平行な対面する側壁に対して概して垂直である第１のパッド２２を備えてもよく、そして、第２のパッド２４が、図１に示される通り、第１のパッド２２に対して垂直に輸送用コンテナを横切って備えられてもよい。第１及び第２のパッドの端部は、輸送される物品が第１のパッド２２及び第２のパッド２４の上に配置され、輸送用コンテナ２０に押し込まれるよう、一般的には輸送用コンテナからそれぞれの側壁を越えて延在し、第１のパッド２２及び第２のパッドの２４がまだ下向きに押しこまれていない場合には、コンテナ２０内に、又は輸送用コンテナ２０の底面に隣接して配置される。それから、第１のパッド２２及び第２のパッド２４の端部は、互いに及び輸送用コンテナ２０の底面と重なり合う第１のパッド２２及び第２のパッド２４の中央部分の上、並びに輸送される物品の上又は周囲で、内側に折りたたまれる。当該コンテナは、その後、閉じられるか、又は輸送のため準備がなされる。
【００３０】
本発明より以前には、オペレータは一般的には、パッド２２及び２４それぞれを、輸送用コンテナにわたって一度に１つずつ手動で配置し、ダンネージ変換機が第２のパッド２４を分配する間には待たなければならないときもあった。オペレータは、また、輸送される１つ又は複数の物品をコンテナに配置し、第１及び第２のパッド２２及び２４の端部で物品を包み込む前に、パッドの中央部分を輸送用コンテナの底部に押し込む必要があった。本発明は、第１のパッド２２及び第２のパッド２４を折りたたんでバンドルを形成する方法を提供し、これにより、オペレータは、輸送される物品を受け入れるコンテナ内で、展開される準備ができた複数のパッドを一度に、より迅速かつ効率的に輸送用コンテナの底部に配置することができる。
【００３１】
パッドを束ねる第１手順において、第１のパッド及び第２のパッドは、「Ｔ字」構成（図２）又は「十字」構成（図３）のいずれかの形状を取るようを配置されてもよい。説明を簡単にするため、図２を参照すると、Ｔ字構成からのバンドルの形成は、次の手順を含む（図４から図８も順次参照）。まず、第１のパッド３０の中央部分が第２のパッド３２の中央部分の上に重なった状態で、第１のパッド３０が第２のパッド３２に対し垂直に配置される。どちらのパッドが上に来るかは重要ではない。パッドどうしは一緒に固定されてもよい。第１のパッド３０は頂部パッド又は底部パッドでもよく、第２のパッド３２についても同様である。比較のため、十字構成において、第１のパッド４０の中心は第２のパッド４２の中心の上に重なり、一方で、Ｔ字構成においては、第１のパッド３０の中心は第２のパッド３２の中心の上に重ならない。換言すると、Ｔ字構成において、第１のパッド３０の中心は、第２のパッド３２の中心に対し中心を外れており、第２のパッド３２の片端寄りである。
【００３２】
図３に戻ると、各パッドは複数区画に分割され、第１のパッド３０及び第２のパッド３２それぞれの区画は、その後、中央部分の印のない区画上に折り返される。この順番は異なり得るが、本例では、区画は参照符号（１）から（５）の順番で、印のない区画上に折り返される。より具体的には、第１のパッド３０の第１区画（１）は、第１のパッド３０の印のない区画上、及び、その下にある第２のパッド３２の中央区画上に折り返され、その後、第１のパッド３０の第２区画（２）は、第２のパッド３２の印のない区画上、及び、既に折り返されている第１のパッド３０の区画（１）上に折り返される。図６を参照されたい。次に、第２のパッド３２の第３区画（３）は、第２のパッド３２の印のない中央区画（及び、第１のパッド３０の中央部分と、既に内側へと折り返されている第１区画（１）及び第２区画（２）と）の上に折り返される。最後に、第２のパッド３２の第４区画（４）及び第５区画（５）は、第２のパッド３２の印のない区画（及び、既に折り返されている第１区画から第３区画）の上を囲って折り返され、バンドル５０を成す（図８及び図９を参照）。パッドの端どうしは、当該バンドルにおいて交互に配置されてもよい。いずれかの区画が中央部分において印のない区画より長い場合、そういった区画は印のない区画を超えて囲うよう延在してもよい。
【００３３】
出来上がった折りたたまれたバンドル５０は、コンテナ内に直ぐの使用のために配置されてもよいし、又は、後の使用のために保管されてもよい。バンドル５０は、また、ストラップ５２若しくは他の拘束部材、又は、第１のパッド３０及び第２のパッド３２を束化された構成で保持若しくは固定するための手段を含んでもよい。例示的なストラップ５２は、重なり合うストラップ５２の端部どうしを固定する接着剤を備えた紙から作成される。
【００３４】
ここで、図３及び参照符号（１）から（４）を参照すると、十字構成からのバンドルの作成は、同様の手順を有する。まず、第１のパッド４０の中心が第２のパッド４２の中心を覆って配置された状態で、第１のパッド４０が第２のパッド４２に対し垂直に配置される。その後、第１のパッド４０及び第２のパッド４２の区画は、参照符号（１）から（４）の順番で、次の区画を前の区画の上、そして、印のない中央部分の周りに折り重ねた状態で、印のない中央部分の上に折り重ねられ、２つのパッド４０及び４２からバンドルを形成する。
【００３５】
これらの方法は、様々な区画が内側に折りたたまれる順番がそれぞれで異なる。当該バンドルのサイズは、包装容器のサイズ及び当該コンテナに必要な梱包要件と相関することが好ましい。考慮すべき要素として、絶縁性又は緩衝性、若しくはその組み合わせについての所望の特性、コンテナのサイズ、輸送される物品のサイズ、当該バンドル内のダンネージ製品のサイズが挙げられる。したがって、上記のように、単一パッドよりも広いコンテナ壁を覆うために、複数のパッドを共通の方向に横並びで並べて配置した状態でコンテナに同時に配置するため、コンパクトなバンドルに折りたたんでもよい。そのため、特定のコンテナで必要な場合には、当該バンドルは、１つ又は複数の第１のパッドと共に、１つ又は複数の第２のパッドを備えてもよい。パッドの数量に関わらず、出来上がったバンドルにより、オペレータが複数のパッドを一度にコンテナ内に配置するのが非常に簡単になる。また、束化された編成により、パッドが当該バンドルから展開される際に、コンテナの内側面に向けてパッドを並べるのが容易になる。
【００３６】
本発明は、また、輸送される物品を受け入れるのに適した構成で、コンテナ内にダンネージ製品を迅速に配置するため、当該バンドルを使用する方法を提供する。当該方法は、上述したＴ字構成からのバンドル５０を用いて、図１１から図１４に示される次の手順を含む。最初に、バンドル５０（固定されているかどうかにかかわらず）がコンテナ７４に配置され、そして、パッド３０及び３２を束化した構成で保持するために使用されるテープ、ストラップ、又は結束があれば、解かれるか取り除かれる。次に、Ｔ字構成、十字構成、又はその他の構成のいずれの場合でも、束化する方法とは逆になり、図１１から図１４に順次示されるように、第１のパッド及び第２のパッドの区画が展開され、輸送のために１つ以上の物品を受け入れる準備が整った構成に配置される際に、コンテナの側面及び外側に広がる可能性があるさまざまな区画を逆の順序で展開することで、第１のパッド及び第２のパッドがコンテナ内で展開される。
【００３７】
バンドル５０が底壁の内側面に向けてコンテナ７４内に配置された後（図１１）、第２のパッド３２の区画４及び区画６は展開され、輸送用コンテナ７４の直立した側壁の隣接した内側面の上に配置され（図１２）、そして、第２のパッドの区画３は、向かい側の直立した側壁の、向かい合っている内側面に向けて展開される。その後、区画２及び区画１は、同様の方法で、コンテナ７４の、直交して直立した側壁のそれぞれ向かい合っている内側面に向けて順番に展開される。図１３及び図１４を参照されたい。これにより、コンテナ７４は輸送される物品を受け入れ、及び、所望の構成で配置された、第１及び第２のパッド３０及びパッド３２の簡易な展開の準備ができる。
【００３８】
次に、それぞれの区画は、輸送中に物品のすべての側面を覆い、保護するため、物品の上に折り重ねられてもよい。代替として、又は、追加的に、更なる保護の提供のため、コンテナを閉じる前に物品の上又は周りに１つ以上の追加パッドを提供してもよい。
【００３９】
束化されたダンネージ製品を、コンテナに入れ、その後にパッドを展開することは、過去になされてきたように、コンテナ内に複数のパッドを一度に１つずつ手動で配置するよりもはるかに簡単で迅速である。たとえば、オンデマンドでのシートベースの絶縁用ライナーを組み立てる従来の方法は、オペレータがコンテナ内にパッドを配置できる速度と、ダンネージ変換機が必要な長さのパッドを製造できる速度と、によって制限されていた。束化されたダンネージ製品を提供することにより、ダンネージ製品を解くと、輸送される物品を受け入れのための所望の構成に、ダンネージ製品が自動的に配置される。束化されたダンネージ製品は、束化して使用するためにオンデマンドで製造しても、事前に製造して、使用する準備ができるまでコンパクトな束化された構成で保存してもよい。束化、そして結束の作業は、自動化されてもよい。
【００４０】
要約すると、本発明は、コンパクトな構成に折りたたまれた梱包材料の少なくとも２つのストリップを含む、梱包材料のバンドルを提供する。梱包材料のストリップは、第１及び第２の端部並びに第１の端部と第２の端部との間の中央部分の間に長さ寸法を有する梱包材料の頂部ストリップと、第１及び第２の端部並びに第１の端部と第２の端部との間の中央部分の間に長さ寸法を有する梱包材料の底部ストリップと、を備える。頂部ストリップの中央部分は、底部ストリップの中央部分の上に重なり、頂部ストリップの長さ寸法は、底部ストリップの長さ寸法に直交する向きである。頂部ストリップの第１及び第２の端部は、その中央部分に折り重ねられ、そして、底部ストリップの第１及び第２の端部は、その中央部分に折り重ねられる。ストラップは、束化された構成において、ストリップを保持してもよい。
【００４１】
当該発明は、特定の例示された実施形態に関して示され、説明されてきたが、同等の変更及び修正は、仕様及び添付の図面を読んで理解することにより、当技術分野における他の当業者により行われるであろう。特に、上述した整数（構成要素、アセンブリ、デバイス、組成物等）によって実施される種々の機能に関して、こうした整数を述べるために使用される用語（「手段（ｍｅａｎｓ）」への言及を含む）は、特に指示されない限り、本発明の本明細書で示す例示的な実施形態における機能を実施する開示される構造に構造的に同等でなくても、述べる整数の特定の機能を実施する（すなわち、機能的に等価である）いかなる整数にも対応することが意図される。
【図１】
2021522120.tif 000003
【図２】
2021522120.tif 000004
【図３】
2021522120.tif 000005
【図４】
2021522120.tif 000006
【図５】
2021522120.tif 000007
【図６】
2021522120.tif 000008
【図７】
2021522120.tif 000009
【図８】
2021522120.tif 000010
【図９】
2021522120.tif 000011
【図１０】
2021522120.tif 000012
【図１１】
2021522120.tif 000013
【図１２】
2021522120.tif 000014
【図１３】
2021522120.tif 000015
【図１４】
2021522120.tif 000016
【図１５】
2021522120.tif 000017
【図１６】
2021522120.tif 000018
【図１７】
2021522120.tif 000019
【図１８】
2021522120.tif 000020
【図１９】
2021522120.tif 000021
【図２０】
2021522120.tif 000022
【図２１】
2021522120.tif 000023
【図２２】
2021522120.tif 000024
【図２３】
2021522120.tif 000025
【手続補正書】
【提出日】令和3年2月10日(2021.2.10)
【手続補正１】
【補正対象書類名】特許請求の範囲
【補正対象項目名】全文
【補正方法】変更
【補正の内容】
【特許請求の範囲】
【請求項１】
梱包材料のバンドルであって、
コンパクトなバンドルへと折りたたまれる梱包材料のストリップを少なくとも２つ備え、
前記ストリップは、
第１の端部及び第２の端部並びに該第１の端部と該第２の端部との間の中央部分を備えた長さ寸法を有する梱包材料の頂部ストリップと、
第１の端部及び第２の端部並びに該第１の端部と該第２の端部との間の中央部分を備えた長さ寸法を有する梱包材料の底部ストリップと、
を備え、
前記頂部ストリップの中央部分は、前記底部ストリップの中央部分の上に重なり、前記頂部ストリップの長さ寸法は、前記底部ストリップの長さ寸法に直交する向きであり、
前記頂部ストリップの第１の端部及び第２の端部は、前記頂部ストリップの中央部分に折り重なり、そして、前記底部ストリップの第１の端部及び第２の端部は、前記底部ストリップの中央部分に折り重なる、梱包材料のバンドル。
【請求項２】
請求項１に記載のバンドルであって、前記頂部ストリップの中央部分が、上部側及び該上部側の反対にある底部側を有し、そして、前記頂部ストリップの第１の端部及び第２の端部が、前記頂部ストリップの中央部分の上部側に折り重ねられ、前記底部ストリップの第１の端部及び第２の端部が、前記頂部ストリップの中央部分の上部側に折り重ねられる、バンドル。
【請求項３】
請求項１又は請求項２に記載のバンドルであって、前記頂部ストリップの第１の端部及び第２の端部のうちの１つが、前記底部ストリップの第１の端部及び第２の端部のうちの１つの上に折り重ねられる、バンドル。
【請求項４】
請求項１、又は、請求項１から３のいずれかに記載のバンドルであって、前記頂部ストリップの第１の端部及び第２の端部、及び、前記底部ストリップの第１の端部及び第２の端部が、交互に配置されている、バンドル。
【請求項５】
請求項１、又は、請求項１から４のいずれかに記載のバンドルであって、束化された構成において、梱包材料の前記ストリップを一時的に固定するための拘束部材をさらに備える、バンドル。
【請求項６】
請求項５に記載のバンドルであって、前記拘束部材はストラップである、バンドル。
【請求項７】
請求項１、又は、請求項１から６のいずれかに記載のバンドルであって、梱包材料の前記ストリップが、少なくとも部分的に紙で出来ている、バンドル。
【請求項８】
請求項１、又は、請求項１から７のいずれかに記載のバンドルであって、梱包材料の前記ストリップが、無作為にしわになった紙を含む、バンドル。
【請求項９】
請求項１、又は、請求項１から８のいずれかに記載のバンドルであって、梱包材料の前記ストリップが、（ａ）コンテナのそれぞれの側壁の幅に対する、梱包材料の前記ストリップの幅寸法、（ｂ）梱包材料の前記ストリップの絶縁性、（ｃ）梱包材料の緩衝性、のうち１つ以上の要素に基づき選択される、バンドル。
【請求項１０】
梱包材料の２つのストリップから梱包材料のバンドルを作成する方法であって、
第１の端部及び第２の端部並びに該第１の端部と該第２の端部との間の中央部分を備えた長さ寸法を有する梱包材料の頂部ストリップと、第１の端部及び第２の端部並びに該第１の端部と該第２の端部との間の中央部分を備えた長さ寸法を有する梱包材料の底部ストリップと、を備える、梱包材料の２つのストリップを準備する手順と、
前記頂部ストリップの長さ寸法が前記底部ストリップの長さ寸法に直交するように、前記頂部ストリップの中央部分を前記底部ストリップの中央部分の上に配置する手順と、
前記頂部ストリップの第１の端部及び第２の端部を、前記頂部ストリップの中央部分の上に折り重ねる手順と、
前記底部ストリップの第１の端部及び第２の端部を、前記底部ストリップの中央部分の上に折り重ねる手順と、
を含む、梱包材料のバンドルを作成する方法。
【請求項１１】
請求項１０に記載の方法であって、束化された構成において、梱包材料の前記ストリップを一時的に固定するための拘束部材をあてがう手順を、２つの前記折り重ねる手順の後にさらに含む、方法。
【請求項１２】
請求項１０又は請求項１１に記載の方法であって、２つの前記折り重ねる手順は、前記頂部ストリップの第１の端部及び第２の端部、及び、前記底部ストリップの第１の端部及び第２の端部を交互に配置することをさらに含む、方法。
【請求項１３】
請求項１０、又は、請求項１１又は１２のいずれかに記載の方法であって、前記準備する手順は、少なくとも部分的に紙で出来た梱包材料のストリップを選択することを含む、方法。
【請求項１４】
請求項１０、又は、請求項１１から１３のいずれかに記載の方法であって、前記準備する手順は、無作為にしわになった紙を含む梱包材料のストリップを選択することを含む、方法。
【請求項１５】
請求項１０、又は、請求項１１から１４のいずれかに記載の方法であって、前記準備する手順は、（ａ）コンテナのそれぞれの側壁の幅に対する、梱包材料の前記ストリップの幅寸法、（ｂ）梱包材料の前記ストリップの絶縁性、（ｃ）梱包材料の緩衝性、のうちの１つ以上の要素に基づいた梱包材料のストリップを選択することを含む、方法。
【請求項１６】
請求項１又は請求項１から９のいずれかに記載の梱包材料のバンドルを使用する方法であって、
上部側が開いていて、該上部側の反対にある底部側が閉じている、長方形の包装容器を準備する手順と、
前記底部ストリップの中央区画の底部側を前記包装容器の底部側の内面に向けた状態で、梱包材料の前記バンドルを前記包装容器に配置する手順と、
前記頂部ストリップの第１の端部及び第２の端部、及び、前記底部ストリップの第１の端部及び第２の端部を、前記包装容器のそれぞれの側壁に向けて展開する手順と、
を含む方法。
【請求項１７】
請求項１６に記載の方法であって、前記バンドルを一時的な拘束部材から解く手順をさらに含む、方法。
【請求項１８】
請求項１６又は請求項１７に記載の方法であって、梱包される物品を前記頂部ストリップの中央区画の上部側に配置し、前記頂部ストリップの第１の端部及び第２の端部、及び、前記底部ストリップの第１の端部及び第２の端部のそれぞれを物品の上に折り重ね、そして、包装容器の開いた上部側を閉じる手順をさらに含む、方法。
【請求項１９】
ダンネージの絶縁ストリップであって、
１枚以上のしわになった内部シートと、
前記内部シートを包み込み、その縁でシールされる１枚以上のカバーシートと、
を備える、絶縁ストリップ。
【請求項２０】
請求項１９に記載の絶縁ストリップであって、少なくとも１枚の前記内部シートは、無作為にしわになっており、前記カバーシートは、しわになった前記内部シートを超えて全ての方向に延びている、絶縁ストリップ。
【国際調査報告】
2021522120.tif 000026
2021522120.tif 000027
2021522120.tif 000028
2021522120.tif 000029